(57)【要約】【課題】  上扉と下扉との間の隙間からの異物進入により、その隙間に渡した塞ぎ部材を変形させて、無理にこじ開けたり、また、孔を強制的に開ける等の不正行為、いわゆるゴト行為の発生を抑えることができるようにした遊技機を提供する。【解決手段】  前記上扉(21)及び前記下扉(22)の間の隙間(93)に渡して、前記上扉(21)及び前記下扉(22)の間の隙間(93)を塞ぐ塞ぎ部材(90)と、前記塞ぎ部材(90)の変形を検知して、検知信号を出力する変形検知手段(100)と、前記検知信号を入力することにより、前記塞ぎ部材(90)の変形を外部へ報知するための変形報知手段(110)とを備えた。【選択図】    図１
2006116165.tif 000002
【特許請求の範囲】
【請求項１】
正面側に開口となる正面開口部を有する筐体と、
前記筐体を上下に仕切る中板と、
前記筐体の前記正面開口部を開閉自在に塞ぐ扉と、
複数の図柄が表示された回転リール及びこの回転リールを回転表示させるための駆動手段を有するリールユニットと、
遊技媒体を払い出すための払い出し装置と、
前記回転リール及び払い出し装置の作動を制御するための制御装置とを少なくとも備え、
前記扉は、
前記筐体の正面開口部の前記中板より上部を開閉自在に塞ぐ上扉と、
前記筐体の正面開口部の前記中板より下部を開閉自在に塞ぐ下扉とを備えた遊技機であって、
前記上扉及び前記下扉の間の隙間に渡して、前記上扉及び前記下扉の間の隙間を塞ぐ塞ぎ部材と、
前記塞ぎ部材の変形を検知して、検知信号を出力する変形検知手段と、
前記検知信号を入力することにより、前記塞ぎ部材の変形を外部へ報知するための変形報知手段とを備えたことを特徴とする遊技機。
【請求項２】
前記塞ぎ部材は、
前記隙間を塞ぐ塞ぎ部材本体と、
前記塞ぎ部材本体を、前記塞ぎ部材本体の両端の回転軸の周りに回転可能に軸支する軸支部とを備え、
前記変形検知手段は、前記軸支部の前記回転軸を回転の中心とした前記塞ぎ部材本体の回転を検知可能な回転検知手段であることを特徴とする請求項１記載の遊技機。
【請求項３】
前記扉は、閉じた状態であることを検知可能な閉状態検知手段を備え、
前記閉状態検知手段による前記扉の閉状態検知時に、前記変形検知手段が、前記塞ぎ部材の変形を検知することを条件として、前記変形報知手段の報知が行われることを特徴とする請求項１又は請求項２に記載の遊技機。
【発明の詳細な説明】
【技術分野】
【０００１】
この発明は、不正行為を防止することができるようにした遊技機に関するものである。
【背景技術】
【０００２】
従来、この種の遊技機としては、遊技機の前面側の隙間からのワイヤ等の異物侵入による内部部品操作による不正行為、いわゆるゴト行為の発生を抑えるため、上扉と下扉との間に発生する隙間をクランク状の不正防止板（隠し部）で塞ぎ、異物の進入を防止しているものが知られている（例えば、特許文献１。）。
【特許文献１】特開２００３−５２８９０号公報
【発明の開示】
【発明が解決しようとする課題】
【０００３】
しかし、上記した従来の遊技機では、かかるクランク状の不正防止板（隠し部）を設けても、不正防止板をドライバーやバール等で強制的に変形させて、無理矢理こじ開けたり、孔を開けることにより、ワイヤ等の異物を、遊技機内部に進入させることができるといった問題点があった。
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する問題点に鑑みてなされたものであり、その目的とするところは、上扉と下扉との間の隙間からの異物進入により、その隙間に渡した塞ぎ部材を変形させて、無理にこじ開けたり、また、孔を強制的に開ける等の不正行為、いわゆるゴト行為の発生を抑えることができるようにした遊技機を提供しようとするものである。
【０００４】
（請求項２）  請求項２記載の発明は、上記した請求項１記載の発明の目的に加え、次の点を目的とする。すなわち、請求項２記載の発明は、塞ぎ部材本体の回転を検知することにより、隙間からの異物進入を検知することができる遊技機を提供しようとするものである。
（請求項３）  請求項３記載の発明は、上記した請求項１又は請求項２に記載の発明の目的に加え、次の点を目的とする。すなわち、請求項３記載の発明は、扉を開ける補修作業や、点検作業等の際、誤作動の発生を抑えて、真のゴト行為のみを検知することができるようにした遊技機を提供しようとするものである。
【課題を解決するための手段】
【０００５】
（請求項１）  請求項１記載の発明は、次の点を特徴とする。すなわち、正面側に開口となる正面開口部(27)を有する筐体(1)と、前記筐体(1)を上下に仕切る中板(7)と、前記筐体(1)の前記正面開口部(27)を開閉自在に塞ぐ扉(2)と、複数の図柄(19)が表示された回転リール(3)及びこの回転リール(3)を回転表示させるための駆動手段を有するリールユニット(10)と、遊技媒体を払い出すための払い出し装置(5)と、前記回転リール(3)及び払い出し装置(5)の作動を制御するための制御装置(73)とを少なくとも備え、前記扉(2)は、前記筐体(1)の正面開口部(27)の前記中板(7)より上部を開閉自在に塞ぐ上扉(21)と、前記筐体(1)の正面開口部(27)の前記中板(7)より下部を開閉自在に塞ぐ下扉(22)とを備えた遊技機(S)であって、前記上扉(21)及び前記下扉(22)の間の隙間(93)に渡して、前記上扉(21)及び前記下扉(22)の間の隙間(93)を塞ぐ塞ぎ部材(90)と、前記塞ぎ部材(90)の変形を検知して、検知信号を出力する変形検知手段(100)と、前記検知信号を入力することにより、前記塞ぎ部材(90)の変形を外部へ報知するための変形報知手段(110)とを備えたことを特徴とする。
【０００６】
また、ここで、「塞ぎ部材(90)の変形」とは、塞ぎ部材(90)自体の形状が、外部の力により、変形することや、外部からの力により、塞ぎ部材(90)自体の形状は、変化しないが、塞ぎ部材(90)が移動して、塞ぎ部材(90)の位置が変化するようなものも含むものである。
また、ここで、「隙間(93)を塞ぐ塞ぎ部材(90)」の隙間(93)を塞ぐとは、隙間(93)の間に部材を渡して、外部からの異物進入を阻止することができるように隙間(93)を埋めてしまうようなことを意味する。
（作用）  本発明は、上扉(21)及び下扉(22)の間の隙間を塞ぐ塞ぎ部材(90)を設けている。このため、外部の不正行為者により、上扉(21)及び下扉(22)の間の隙間(93)に差し込み可能なゴト具を、その隙間(93)から無理矢理差し込むと、塞ぎ部材(90)が変形する。すると、変形検知手段(100)が、かかる塞ぎ部材(90)の変形を、検知することができ、変形検知手段(100)は、検知信号を、出力する。そして、変形報知手段(110)が、その検知信号の入力に基づいて、塞ぎ部材(90)が変形したことを、外部へ報知する。これにより、外部からの異物進入による不正行為が行われて、塞ぎ部材(90)が変形していることが、遊技機(S)の外部へ報知される。これにより、塞ぎ部材(90)を変形させて、無理にこじ開けたり、また、孔を強制的に開ける等の不正行為、いわゆるゴト行為の発生を抑えることができる。
【０００７】
（請求項２）  請求項２記載の発明は、上記した請求項１記載の発明の特徴点に加え、次の点を特徴とする。すなわち、前記塞ぎ部材(90)は、前記隙間(93)を塞ぐ塞ぎ部材本体(91)と、前記塞ぎ部材本体(91)を、前記塞ぎ部材本体(91)の両端の回転軸(103)の周りに回転可能に軸支する軸支部(92)とを備え、前記変形検知手段(100)は、前記軸支部(92)の前記回転軸(103)を回転の中心とした前記塞ぎ部材本体(91)の回転を検知可能な回転検知手段(101)であることを特徴とする。
なお、ここで、回転検知手段(101)とは、具体的には、いわゆる回転軸の回転量、回転角度又は回転位置等を計測するロータリエンコーダのようなものを意味する。このロータリエンコーダは、例えば、回転軸(103)の回転変位量に応じてパルス列を出力し、このパルス数をカウントすることで回転量を検出するようなものを含む。
【０００８】
（作用）  本発明は、外部から不正行為者が、ワイヤ等のゴト具を隙間(93)内部に差し込むと、ゴト具に押されて、塞ぎ部材本体(91)は、軸支部(92)の回転軸(103)の周りに回転する。そして、変形検知手段(100)である回転検知手段(101)は、かかる塞ぎ部材本体(91)の回転を検知し、検知信号を出力する。そして、検知信号の入力により、変形報知手段(110)が、塞ぎ部材本体(91)の回転を報知し、外部の者は、隙間(93)から何かが進入していることを知ることができる。
ここでは、塞ぎ部材本体(91)の回転を検知しているため、塞ぎ部材本体(91)が破断や破壊されなくても、容易に回転させることが可能であり、その回転を検知することも可能となる。そして、その回転に対する抵抗力を小さくすることにより、小さな力でも塞ぎ部材本体(91)を回転させることができる。これにより、検出精度を向上させることができ、ワイヤ等の細長いもので、僅かな隙間から進入しようとするようなゴト行為も、容易に発見することが可能となる。一方、その回転に対する抵抗力を大きくすると、小さな力では塞ぎ部材本体(91)を回転させることができないようにすることができる。これにより、細長い針金等の弱いものでは塞ぎ部材本体(91)を回転させることができず、塞ぎ部材本体(91)より内部への進入を阻止することもできる。
【０００９】
また、塞ぎ部材本体(91)は、異物進入により、自ら回転移動するため、一度のゴト行為により、破断や破壊される恐れが無く、繰り返し何度でも、ゴト行為を検知することができ、破断や破壊等による塞ぎ部材本体(91)の取り換えが必要なく、維持コストを抑えることができる。
（請求項３）  請求項３記載の発明は、上記した請求項１又は請求項２に記載の発明の特徴点に加え、次の点を特徴とする。すなわち、前記扉(2)は、閉じた状態であることを検知可能な閉状態検知手段(120)を備え、前記閉状態検知手段(120)による前記扉(2)の閉状態検知時に、前記変形検知手段(100)が、前記塞ぎ部材(90)の変形を検知することを条件として、前記変形報知手段(110)の報知が行われることを特徴とする。
【００１０】
なお、ここで、閉状態検知手段(120)が開閉状態を検知する扉(2)は、上扉(21)のみ、下扉(22)のみ、上扉(21)及び下扉(22)の開閉動作が一体となったものを含む。
すなわち、閉状態検知手段(120)は、上扉(21)だけの開閉状態を検知するものや、下扉(22)だけの開閉状態を検知するものや、構造上は上扉(21)及び下扉(22)とが分離可能だが、開閉動作は上扉(21)及び下扉(22)が一体となった扉(2)の開閉状態を検知するものを含む。
（作用）  本発明は、扉(2)が閉状態、すなわち閉まっている場合に、塞ぎ部材(90)の変形が検知されることを条件として、変形報知手段(110)の報知が行われる。このため、修理や、点検等の際、一時的に、扉(2)を開いた状態の際、遊技者や、周囲の人や物に、塞ぎ部材(90)が触れて、塞ぎ部材(90)が変形することにより、ゴト行為が行われていないにも拘わらず、誤って、変形報知手段(110)による誤報知が行われることを回避することができる。
【発明の効果】
【００１１】
本発明は、以上のように構成されているので、以下に記載されるような効果を奏する。
（請求項１）  請求項１記載の発明によれば、次のような効果を奏する。すなわち、上扉及び下扉の間の隙間を塞ぐ塞ぎ部材を変形させて、無理にこじ開けたり、また、孔を強制的に開ける等の不正行為、いわゆるゴト行為の発生を抑えることができるようにした遊技機を提供することができる。
（請求項２）  請求項２記載の発明によれば、上記した請求項１記載の発明の効果に加え、次のような効果を奏する。すなわち、請求項２記載の発明によれば、塞ぎ部材本体の回転を検知することにより、隙間からの異物進入を検知することができて、検出精度を向上させることができ、ゴト行為を容易に発見することができ、また、塞ぎ部材本体を取り換えることなく、繰り返し何度でも使用することができて、維持コストを抑えることができるようにした遊技機を提供することができる。
【００１２】
（請求項３）  請求項３記載の発明によれば、上記した請求項１又は請求項２に記載の発明の効果に加え、次のような効果を奏する。すなわち、請求項３記載の発明によれば、扉を開ける補修作業や、点検作業等の際、誤作動の発生を抑えて、真のゴト行為のみを検知することができるようにした遊技機を提供することができる。
【発明を実施するための最良の形態】
【００１３】
（図面の説明）  図１乃至図５は、本発明の実施の形態を示すものである。図１は上扉の塞ぎ部材及び閉状態検知手段の外観斜視図、図２は塞ぎ部材及び閉状態検知手段の縦断面図、図３は遊技機の外観正面図、図４及び図５は分離ユニット、下扉及び筐体を分離した状態の外観斜視図をそれぞれ示すものである。
（遊技機S）  本実施の形態に係る遊技機Sは、具体的には、スロットマシンであって、大きく分けて、正面側に開口する正面開口部27を有する筐体1と、この筐体1内部に着脱自在に固定するとともに、筐体1から分離して交換可能な分離ユニット40とを備えている。そして、遊技機Sの正面側には、筐体1の正面開口部27を開閉可能に塞ぐための扉2が形成されている。そして、筐体1の正面開口部27は、筐体1の上部であって、中板7より上部に開口する開口上部25と、筐体1の下部であって、中板7より下部に開口する開口下部26とを備えている。そして、前記扉2は、筐体1の開口上部25を開閉可能に塞ぐための上扉21と、筐体1の開口下部26を開閉可能に塞ぐための下扉22とを備えている。
【００１４】
前記分離ユニット40は、筐体1の正面開口部27の上部の開口上部25を開閉自在に塞ぐ上扉21と、複数の図柄19が表示された回転リール3及びこの回転リール3を回転表示させるための駆動手段を有するリールユニット10とを備えている。そして、リールユニット10の手前側には、上扉21が取り付けられてある。そして、このリールユニット10及び上扉21により、上扉21の裏にリールユニット10を取り付けて、両者が一体となった分離ユニット40を形成している。この分離ユニット40は、中板7上面に固定するとともに筐体1から分離して交換可能なものである。すなわち、通常のいわゆる新台入れ替えの際には、リールユニット10及び上扉21が一体となった分離ユニット40毎に入れ替えることができるものである。もちろん、新台入れ替えの際、上扉21は、そのままで、リールユニット10だけを交換することもできる。
【００１５】
なお、ここで、本明細書中の「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。また、「後方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００１６】
（筐体1）  前記筐体1は、全体形状が略箱状であって、底面に配置した底板75と、この底板75の左右端縁から上方に向かって設けられた左右の側板76と、この側板76の上端間に渡した天板77と、左右の側板76の後側の端面間に渡して、裏側を塞ぐ奥板78とからなる正面側に開口するものである。すなわち、底板75と、その左右の側板76と、天板77とにより、四角枠状の四角枠部材を形成し、この四角枠部材の正面側に正面開口部27が開口し、四角枠部材の奥側を奥板78が塞いでいるものである。そして、この筐体1の高さ方向略中央部には、二つの側板76の間に水平方向に中板7が渡してある。そして、この中板7は、特に図示していないが、分離ユニット40を筐体1の奥側内部に案内するためのガイドを中板7上面の左右に形成している。そして、底板75には、各部品に電気を供給するための電源装置8と、投入された遊技媒体を貯留するとともに払い出し皿12に遊技媒体を払い出し可能なホッパーユニットとも呼ばれる払い出し装置5とが固定されている。
【００１７】
ここで、電源装置8は、開口下部26の中板7の下面に取り付けられており、遊技店側が種々の設定を行うためのスイッチ等の設定操作部を有している。
前記電源装置8及び払い出し装置5は、分離ユニット40の交換に際し、必ずしも交換する必要のないものであり、交換時には設置されたままにしておけるようになっているものである。
また、側板76の正面左側の下部には、前記下扉22を係合させ、回転自在に支持するための下扉用係合ヒンジ部50が、上下方向に間隔をおいて二つ設けられている。
（分離ユニット40）  前記分離ユニット40は、遊技ホールにおける、いわゆる新台入れ替えの際、遊技内容を変更するために筐体1に対して交換可能に形成されているものである。この分離ユニット40は、リールユニット10と、このリールユニット10の手前側に開閉可能に取り付けられた上扉21とから形成されているものである。このリールユニット10及び上扉21は、両者が一体となった状態で、筐体1から取り外し、また、取り付けることができるように形成されている。なお、リールユニット10から上扉21を取り外せば、いわゆる新台入れ替えの際、上扉21はそのまま交換せずに、リールユニット10だけを交換することができる。このように、リールユニット10だけの取り付けや、取り外しも可能となるように形成されている。
【００１８】
（リールユニット10）  前記分離ユニット40のリールユニット10は、筐体1に着脱自在に取り付けられているものである。このリールユニット10は、複数の図柄19が表示された回転リール3及びこの回転リール3を回転表示させるための駆動手段（図示せず）を有する。そして、このリールユニット10は、当該遊技機Sの各部品を制御するための制御装置73を備えている。
前記リールユニット10は、回転リール3、駆動手段及び制御装置73等を装着するための枠状の支持体6（図５）を備えている。この支持体6は、全体形状が略直方体の枠状に形成されている。すなわち、回転リール3、駆動手段及び制御装置73は、これらを装着するための支持体6を介して、リールユニット10に組み込まれているものである。
【００１９】
ここで、回転リール3は、周囲に複数の図柄を表示した３個の回転リール3からなるものである。そして、駆動手段は、特に図示しないが、それぞれの回転リール3を回転させるための駆動モータを有している。そして、制御装置73は、回転リール3の回転等を制御するための主制御装置が透明樹脂からなる四角箱状の基板ケースの内部に収納されているものである。
前記支持体6の正面左側の開口縁には、上扉21を回転自在に係合するための上扉用係合ヒンジ部52が、上下方向に間隔をおいて二つ設けられている。この上扉用係合ヒンジ部52は、下扉用係合ヒンジ部50と略同様の形状を有し、上方向に円柱状の軸を有し、同様の機能を奏するものであって、上扉21の上扉用係合ヒンジ孔53が差し込まれて、上扉21を回転可能に軸支するものである。
【００２０】
さらに、支持体6の正面右側の縦方向の開口縁には、上扉21を閉めた際、上扉21のロック可動片（図示せず）をロックするためのロック固定片（図示せず）が、上下方向に間隔をおいて二つ設けられている。このように、支持体6の左側の上扉用係合ヒンジ部と、上扉21の上扉用係合ヒンジ孔53とが回転可能に係合することにより、上扉21が支持体6に回転可能に固定され、そして、支持体6の右側のロック固定片及び上扉21のロック可動片とにより、両者を一体のものにすることができる。
（上扉21）  前記上扉21は、筐体1の開口上部25の開閉を行うための扉2であって、リールユニット10の支持体6に回転自在かつロック可能に形成されている板状の扉2である。そして、上扉21は、樹脂板からなる表示窓28が形成されている。遊技者は、回転リール3の図柄19を、図柄表示窓23を介して、正面側から見ることができるように形成されている。そして、上扉21の周囲には、アーチ状のランプ等を有する表示装置86が設けられている。
【００２１】
さらに、特に図示していないが、上扉21の左側の裏面には、上扉用係合ヒンジ孔53が、上下方向に間隔をおいて二つ設けられている。この上扉用係合ヒンジ孔53は、下扉用係合ヒンジ孔51と同様の形状を有するものであって、上扉用係合ヒンジ部52の棒状部分に上から嵌め込まれて、上扉21を回転自在に係合させることができるものである。
そして、上扉21の正面から向かって右側の裏面には、特に図示していないが、扉ロック機構が設けられている。この扉ロック機構は、上扉21の背面側から奥側に向かって突出する２本のロック可動片を備えているものである。そして、リールユニット10の支持体6の前面側の右側の縦枠には、かかるロック可動片が係合するためのロック固定片（図示せず）が上下方向に２カ所、形成されている。
【００２２】
そして、上扉21の下部の裏面側には、下方に向かって突出して、上扉21及び下扉22の間の隙間93に渡し、上扉21及び下扉22の間の隙間93を塞ぐ塞ぎ部材90が形成されている。そして、上扉21には、塞ぎ部材90の変形を検知して、検知信号を出力する変形検知手段100が形成されている。そして、上扉21には、変形検知手段100からの検知信号を入力することにより、塞ぎ部材90の変形を外部へ報知するための変形報知手段110を備えている。この変形報知手段110は、具体的には、上扉21の正面側の上部に設けたパトライト111からなるものである。このパトライト111が、赤い光を点灯しながら、回転することにより、塞ぎ部材90が変形し、ゴト行為が行われている可能性が高いことを、周囲の者に報知することができるものである。
【００２３】
（下扉22）  前記下扉22は、筐体1の開口下部26を開閉自在に塞ぐための、上扉21よりも幅厚の扉であり、筐体1の側板76に回転自在かつロック可能に形成されているものである。
前記下扉22の上部は、遊技機Sを作動させるための操作部18となっており、下扉22の上面は、閉扉時においては、上扉21よりも前側に突出するようになっている。すなわち、この下扉22は、上扉21の下部の塞ぎ部材90の手前側を、前側から覆うような状態で、ロックされ、下扉22の上部は、上扉21の下部の塞ぎ部材90よりも、手前側に配置するように形成されている。したがって、上扉21を閉じた状態で、下扉22を閉じた場合、下扉22を開けることなく、塞ぎ部材90を変形させずに、上扉21だけを開くことはできないように形成されている。このため、上扉21を開放する際には、必ず、下扉22の開放が条件となるものである。これにより、制御装置73や、回転リール3等の開口上部25に配置されている部品が、ゴト行為により、操作されるのを抑えることができるものである。
【００２４】
また、下扉22の下部には払い出された遊技媒体を溜めておくための箱状の払い出し皿12が形成されており、この払い出し皿12の上部には、払い出し皿12へ遊技媒体を払い出すための払い出し口74が形成され、下扉22の略中央部には、遊技内容その他の案内表示をするための前パネル85が嵌め込まれている。
前記操作部18としては、下扉22の上面右端には媒体投入口71と、上面左側に設けられたベットスイッチ17と、正面側にはレバー式のスタートスイッチ15と、ボタン式のストップスイッチ16と、鍵穴87とが設けられている。なお、ベットスイッチ17とは、遊技媒体である貯留メダルをメダル投入に代えるためのものであり、スタートスイッチ15及びストップスイッチ16は、回転リール3の回転を開始及び停止させるためのものである。また、鍵穴87は、下扉22を解錠するためのものであり、この穴に所定の鍵を差し込んで回すと、下扉22の扉ロック機構のロックが解除されるものである。そして、下扉22を開いた後、上扉21の下端から延びるレバーを操作することにより、上扉21の扉ロック機構であるロック可動片を可動させて、ロック固定片から外し、上扉21を開けることができるように形成されている。
【００２５】
さらに、下扉22の裏面側には、前記媒体投入口71から投入された遊技媒体を誘導しながら遊技媒体の正偽を判断するための媒体セレクター4が設けられている。
また、下扉22の左側の裏面には、筐体1の下扉用係合ヒンジ部50と係合可能な下扉用係合ヒンジ孔51が上下方向に間隔をおいて二つ設けられている。そして、下扉22の右側の裏面には、筐体1の下扉用ロック固定片にロック可能なアンカー状の下扉用ロック可動片を有する扉ロック機構が設けられている。
（塞ぎ部材90）  前記塞ぎ部材90は、上扉21及び下扉22の間の隙間93に渡して、上扉21及び下扉22の間の隙間93を塞ぐものである。
【００２６】
前記塞ぎ部材90は、上扉21及び下扉22の間の隙間93を塞ぐ長方形状の塞ぎ部材本体91と、この塞ぎ部材本体91を、塞ぎ部材本体91の両端の回転軸103の周りに回転可能に上扉21に軸支する軸支部92とを備えている。この塞ぎ部材本体91は、全体形状が、長尺状の長方形板状のものであって、上扉21の下部の裏面側の左右に長尺方向が配置されるように形成されている。なお、この塞ぎ部材本体91の形状は、本実施の形態では、上述したような長方形板状のものであるが、このような板状のものに限定されるものではなく、上扉21及び下扉22の間の隙間93を塞ぐことがでいるようなものであれば良いものであって、三角柱状や、四角柱状や、円柱状等の他の任意の形状のものでも良いものである。
【００２７】
そして、この塞ぎ部材本体91の左右両側面の上部に回転軸103が形成されている。この回転軸103は、変形検知手段100である回転検知手段101に連結されている。
前記塞ぎ部材本体91の途中には、塞ぎ部材本体91を手前側に向かって引っ張るように付勢する付勢手段130が形成されている。具体的には、この付勢手段130は、上扉21の下端部と、塞ぎ部材本体91との間に連結されて、両者の距離を縮める方向に引っ張り合う弾性金属からなるコイルばねである。もちろん、この付勢手段130は、コイルばねに限定されるものではなく、ゴム等の他の弾性部材からなるものでも良いものである。また、この付勢手段130は、回転軸103に直接取り付けて、塞ぎ部材本体91の下部を手前側に向かって移動させるように、回転軸103を回転させる渦巻きばねのようなものでも良いものである。
【００２８】
（変形検知手段100）  前記変形検知手段100は、塞ぎ部材90の変形を検知して、変形検知信号を出力するためのものである。この変形検知手段100は、軸支部92の回転軸103を回転の中心とした塞ぎ部材本体91の回転を検知可能な回転検知手段101である。
この回転検知手段101は、具体的には、回転軸103の回転量（回転数）、回転角度及び回転位置を計測可能なロータリエンコーダを有している。このロータリエンコーダは、回転軸103の回転変位量に応じてパルス列を出力し、このパルス数をカウントすることで回転量、回転角度及び回転位置を検出することができるものである。そして、この回転検知手段101は、ロータリエンコーダによる予め定めた所定の回転角度以上の回転軸103の回転により、変形検知信号を出力するように設定されている。
【００２９】
なお、変形検知手段100は、上述したようにロータリーエンコーダを有する回転検知手段101であるが、特にこれに限定されるものではなく、図６に示すように、変形検知手段100は、回転検知手段101の代わりに、中板7の下部に設けて、塞ぎ部材本体91の回転を接触によって検知可能な接触式検知手段102であっても良いものである。この接触式検知手段102は、突出する進退棒が回転変形する塞ぎ部材本体91に所定距離だけ押し込まれることにより、変形検知信号を出力するように形成されているものである。
（閉状態検知手段120）  前記閉状態検知手段120は、扉2が閉じた状態であることを検知して閉状態検知信号を出力するものである。この閉状態検知手段120は、上扉21の裏面側に設けた接触式センサー本体121と、この接触式センサー本体121から奥方向に向かって突出する突出棒122と、筐体1の右の側板76の前面側の縁に設けた平板小片状の突出片123とを備えている。上扉21を筐体1に閉じた状態にした場合、接触式センサー本体121から奥方向に向かって付勢力により突出する突出棒123が、筐体1の突出片123に当接して接触式センサー本体121側に予め定めた所定距離だけ押さえ込まれることを検知して、現在の上扉21が閉状態であることを検知することができ、その結果として閉状態検知信号を出力するものである。また、上扉21を開いた状態にした場合、突出棒122が突出片123から離れて、突出棒122が予め定めた所定距離以上、押さえ込まれた状態から、付勢力により元に戻って、閉状態検知信号の出力を停止する。この閉状態検知信号の出力の有無により、現在の上扉21が開状態であるか否かを検知することができるものである。
【００３０】
（制御装置73）  前記制御装置73は、遊技を行うために、遊技機S内部の各部品の動作を制御するためのものである。制御装置73は、回転リール3及び払い出し装置5の作動を制御するものである。さらに、この制御装置73は、閉状態検知手段120からの上扉21が閉状態であることを示す閉状態検知信号が入力されている時に、変形検知手段100からの塞ぎ部材本体91の変形が行われていることを示す変形検知信号が入力されることを条件として、変形検知手段100からの変形検知信号を、そのまま変形報知手段110へ送出する。そして、制御装置73は、閉状態検知手段120からの上扉21が閉状態でなく上扉21が開状態である時は、閉状態検知信号を入力せずに、変形検知手段100からの塞ぎ部材本体91の変形が行われていることを示す変形検知信号を入力しても、かかる変形検知手段100からの変形検知信号を、変形報知手段110へ送出しない。すなわち、変形報知手段110からの変形検知信号は、制御装置73を通って、変形報知手段110へ入力されるように配線されているものであるが、閉状態検知手段120からの閉状態検知信号が入力されている場合にだけ、閉状態検知手段120からの変形検知信号を、変形報知手段110へ出力するように設定されている。
【００３１】
（作用）  本実施の形態では、上扉21及び下扉22の間の隙間を塞ぐための塞ぎ部材90である塞ぎ部材本体91を設けている。このため、外部の不正行為者により、上扉21及び下扉22の間の隙間93に差し込み可能な針金や紐やセルロイド片やドライバー等のゴト具を、その隙間93から無理矢理差し込むと、塞ぎ部材90の塞ぎ部材本体91が軸支部92の回転軸103の周りに回転して、回転変形する。すると、変形検知手段100である回転検知手段101が、かかる塞ぎ部材本体91の回転変形を、検知することができ、変形検知手段100は、変形検知信号を、出力する。その際、上扉21が閉状態である場合、制御装置73を介して、その変形検知信号は変形報知手段110に入力される。そして、変形報知手段110であるパトライト111が、変形検知信号の入力に基づいて、塞ぎ部材本体91が回転変形したことを、赤色に回転点灯して外部へ報知する。これにより、塞ぎ部材本体91が変形し、外部からの異物進入による不正行為が行われていることが、遊技機Sの外部へ報知される。これにより、塞ぎ部材90を変形させて、無理にこじ開けたり、また、孔を強制的に開ける等の不正行為、いわゆるゴト行為の発生を抑えることができる。
【００３２】
ここでは、塞ぎ部材本体91の回転を検知しているため、塞ぎ部材本体91が破断や破壊されなくても、容易に回転させることが可能であり、その回転を検知することも可能となる。そして、その回転に対する抵抗力である付勢手段130のばね131の付勢力を小さくすることにより、小さな力でも塞ぎ部材本体91を回転させることができる。これにより、検出精度を向上させることができ、ワイヤ等の細長いもので、僅かな隙間から進入しようとするようなゴト行為も、容易に発見することが可能となる。一方、その回転に対する抵抗力である付勢手段130のばね131の付勢力を大きくすると、ゴト具を押し込む力が小さな力では塞ぎ部材本体91を回転させることができないようにすることができる。これにより、細長い針金等の弱いものでは塞ぎ部材本体91を回転させることができず、塞ぎ部材本体91より内部への進入を阻止することもできる。
【００３３】
また、塞ぎ部材本体91は、異物進入により、自ら回転移動するため、一度のゴト行為により、破断や破壊される恐れが無く、繰り返し何度でも、ゴト行為を検知することができ、破断や破壊等による塞ぎ部材本体91の取り換えが必要なく、維持コストを抑えることができる。
更に、本実施の形態では、上扉21が閉状態、すなわち閉まっている場合に、閉状態検知手段120からの閉状態検知信号が制御装置73へ入力されて、且つ、回転検知手段101からの変形検知信号が制御装置73へ入力されることを条件として、制御装置73は、回転検知手段101からの変形検知信号を、変形報知手段110へ、そのまま送出する。そして、かかる変形検知信号が入力されることにより、変形報知手段110であるパトライト111が赤色回転点灯して、周囲に報知する。したがって、上扉21が開いた状態のときは、閉状態検知手段120からの閉状態検知信号は出力されずに、その際、回転検知手段101からの変形検知信号が出力されても、かかる変形検知信号は、そのまま変形報知手段110へ入力されず、変形報知手段110の報知は行われない。このため、修理や、点検等の際、一時的に、上扉21を開いた状態の際、遊技者や、周囲の人や物に、塞ぎ部材本体91が触れて、塞ぎ部材本体91が回転変形することにより、ゴト行為が行われていないにも拘わらず、誤って、変形報知手段110による誤報知が行われることを回避することができる。上述したように、本実施の形態では、閉状態検知手段120により上扉21が閉じた状態においてのみ、回転検知手段101からの変形検知信号を、変形報知手段110へ送出するように設定しているが、もちろん、かかる閉状態検知手段120を設けずに、回転検知手段101が塞ぎ部材本体91の回転を検知して、変形検知信号を出力した場合、上扉21の開閉状態に影響されることなく、変形検知信号が変形報知手段110へ入力されるように設定して、かかる場合は、常に変形報知手段110の報知が行われるように形成しても良いものである。
【００３４】
また、上述した実施の形態では、遊技媒体として円板状の遊技メダルを使用しているスロットマシンに適用しているものであるが、遊技媒体として、球状の遊技球（パチンコ球）を使用する、いわゆるパロットに適用することもできる。
更に、上述した実施の形態では、変形検知手段100を上扉21と下扉22との間の隙間に設けたが、これ以外の箇所に設けても良いものである。すなわち、遊技機Sの表面に開口して遊技機内部へ到達可能な通路となるような他の隙間93に変形検知手段100を設けても良いものである。例えば、扉2と筐体1との間に発生する隙間や、上扉21、下扉22及び筐体1の外側表面に取り付けた部品との間の表面に開口して遊技機S内部へ到達可能となるような通路からなる隙間93に設けることもできるものである。
【００３５】
また、ここで、塞ぎ部材90は、かかる隙間93の全てに設けたものや、隙間93の一部に設けるものも含まれる。
また、変形検知手段100であるパトライト111は、上述したように遊技機Sの上部に設けてあるが、かかるパトライト111を遊技ホールの管理室に設けるようにしても良いものである。
（他のバリエーション）  上述した実施の形態では、閉状態検知手段120は、上扉21の開閉動作を検知していたが、図７は他の実施の形態を示すものであって、閉状態検知手段120を下扉22の開閉動作の検知に使用しているものである。すなわち、接触式センサー本体121を、下扉22の裏面側に設けて、その接触式センサー本体121から突出する突出棒122を奥側に向かって突出させている。そして、筐体1の開口下部26の右側の側板76には、平板状の突出片123を設けているものである。これにより、下扉22を閉じた状態のとき、突出棒122が押さえ込まれて、閉状態検知信号が制御装置73へ出力されるように形成されているものである。その他の作用及び効果は、上述した実施の形態と同様に形成されているものである。
【００３６】
通常、遊技機Sを多数配置した遊技ホールでは、払い出し装置5の遊技メダルの補給や、媒体セレクター4における遊技メダルの詰まり等の開口下部26での不具合が比較的、発生しやすい。このため、遊技ホールでは、開口上部25を塞ぐ上扉21よりも開口下部26を塞ぐ下扉22を開放する頻度が高い。そのような遊技メダルの補給等のために、下扉22を開けた際、遊技ホールの従業員や、遊技者等が誤って、塞ぎ部材本体91に触れて、ゴト行為でないにも拘わらず変形検知手段100を動作させるような誤作動の発生を抑えることができるものである。
また、構造上は、上扉21及び下扉22に分離可能に形成されていて、上扉21及び下扉22の間の隙間93を有しているが、開閉動作の場合は、所定の固定具により、上扉21及び下扉22の両者を一体として、開閉することができるような扉2の場合に、扉2の開閉の有無を、検知することができるような閉状態検知手段120を、扉2及び筐体1に設けても良いものである。
【図面の簡単な説明】
【００３７】
【図１】本発明の実施の形態であって、上扉の塞ぎ部材及び閉状態検知手段を示す外観斜視図である。
【図２】本発明の実施の形態であって、塞ぎ部材及び閉状態検知手段を示す縦断面図である。
【図３】本発明の実施の形態であって、遊技機を示す外観正面図である。
【図４】本発明の実施の形態であって、分離ユニット、下扉及び筐体を分離した状態を示す外観斜視図である。
【図５】本発明の実施の形態であって、分離ユニット、下扉及び筐体を分離した状態を示す外観斜視図である。
【図６】本発明の他の実施の形態であって、塞ぎ部材及び閉状態検知手段を示す縦断面図である。
【図７】本発明の他の実施の形態であって、塞ぎ部材及び閉状態検知手段を示す縦断面図である。
【符号の説明】
【００３８】
S  遊技機                              1  筐体
2  扉                                  3  回転リール
4  媒体セレクター                      5  払い出し装置
6  支持体                              7  中板
8  電源装置                            10  リールユニット
12  払い出し皿                          15  スタートスイッチ
16  ストップスイッチ                    17  ベットスイッチ
18  操作部                              19  図柄
21  上扉                                22  下扉
23  図柄表示窓                          25  開口上部
26  開口下部                            27  正面開口部
28  表示窓                              40  分離ユニット
50  下扉用係合ヒンジ部                  51  下扉用係合ヒンジ孔
52  上扉用係合ヒンジ部                  53  上扉用係合ヒンジ孔
71  媒体投入口                          73  制御装置
74  払い出し口                          75  底板
76  側板                                77  天板
78  奥板                                85  前パネル
86  表示装置                            87  鍵穴
90  塞ぎ部材                            91  塞ぎ部材本体
92  軸支部                              93  隙間
100  変形検知手段                      101  回転検知手段
102  接触式検知手段                    103  回転軸
110  変形報知手段                      111  パトライト
120  閉状態検知手段                    121  接触式センサー本体
122  突出棒                            123  突出片
130  付勢手段                          131  ばね
【図１】
2006116165.tif 000003
【図２】
2006116165.tif 000004
【図３】
2006116165.tif 000005
【図４】
2006116165.tif 000006
【図５】
2006116165.tif 000007
【図６】
2006116165.tif 000008
【図７】
2006116165.tif 000009